(57)【特許請求の範囲】
【請求項１】
内部に電気機器を収納する筐体と、
該筐体を載置する基台と、
該基台を床面に固定するアンカーの取付部を形成したアンカー取付部材とを有する電気機器収納用箱であって、
該基台の筐体搭載面は、筐体が載置される筐体載置部よりも大きい面積をもって形成され、
該基台は、基台の裏面に配置されたアンカー取付部を露出させる位置で、基台の隅部を切欠いて形成した切欠部と、
該切欠部を、脱着自在に覆うカバー部材を備えることを特徴とする電気機器収納用箱。
【請求項２】
該基台は、筐体搭載面と、該筐体搭載面の全端部を垂直下向きに折り曲げて形成した折曲辺部からなり、
該折曲辺部の側方端部に切欠部を形成したことを特徴とする請求項１記載の電気機器収納用箱。
【発明の詳細な説明】
【技術分野】
【０００１】
本発明は、基台を備え、特に表示装置を収納するのに適した電気機器収納用箱に関するものである。
【背景技術】
【０００２】
分電盤や配電盤などに使用される電気機器収納用箱は、主として電気機器を内蔵する筐体と筐体を搭載する基台とから構成され、多くは床面に設置される。当該箱の設置方法の一つとして、当該基台をアンカーボルトで床面に固定する方法が採られているが、これらの電気機器収納用箱は、基台の幅が筐体とほぼ同寸であるため、基台の内側からアンカーボルトを挿入して基台を固定しなければならず（特許文献１）、作業性が悪いという問題があった。
【０００３】
また、電気機器収納用箱のなかには、筐体内に製品を取り付けた状態で床面に設置するものもあり、こうした場合には筐体内を通じて基台の固定作業を行うことになり、作業効率が著しく低下する。また、ボルト取付の際に、製品自体に工具が当接してしまうという問題も生じる。
【０００４】
一方、基台の幅を筐体の幅よりも大きくすれば、基台上面（外側）からアンカーボルトで固定することができるので作業効率は改善するが、ボルトがむき出し状態となり、安全面や美感上に問題がある。
【先行技術文献】
【特許文献】
【０００５】
【特許文献１】特開２００３-３３２７７２号公報
【発明の概要】
【発明が解決しようとする課題】
【０００６】
本発明の目的は前記問題を解決し、電気機器収納用箱を床面に設置する際には安全かつ効率的に作業が行え、設置後においては、景観がよく、接触しても怪我をすることのない基台を備えた電気機器収納用箱を提供することである。
【課題を解決するための手段】
【０００７】
上記課題を解決するためになされた本発明は、内部に電気機器を収納する筐体と、該筐体を載置する基台と、該基台を床面に固定するアンカーの取付部を形成したアンカー取付部材とを有する電気機器収納用箱であって、該基台の筐体搭載面は、筐体が載置される筐体載置部よりも大きい面積をもって形成され、該基台は、基台の裏面に配置されたアンカー取付部を露出させる位置で、基台の隅部を切欠いて形成した切欠部と、該切欠部を、脱着自在に覆うカバー部材とを備えることを特徴とするものである。
【０００８】
ここで、該基台は、筐体搭載面と、該筐体搭載面の全端部を垂直下向きに折り曲げて形成した折曲辺部からなり、該折曲辺部の側方端部に切欠部を形成することが好ましい。
【発明の効果】
【０００９】
本発明に係る電気機器収納用箱は、基台の筐体搭載面を筐体が載置される筐体載置部よりも大きく形成している。これにより、基台の隅部に切欠部を設けることができる。また、基台の隅部に切欠部を設けることで、切欠部の下側に位置するアンカー取付部に、基台の外側からアンカーボルトを打ち込んで基台を固定することができる。そのため、従前のように基台の内側から作業を行う場合に比べて、格段に作業効率がよい。
【００１０】
また、当該切欠部に脱着自在なカバー部材を被せられる構造にすることで、アンカー取付作業時にはカバー部材を外し、設置後や不使用時には切欠部にカバー部材を取り付けておくことができる。カバー部材で切欠部を覆えば、基台とカバー部材を一体に見せることができるので、見栄えもよくなる。また、万が一基台に接触した場合にも怪我をすることがない。
【００１１】
更に、該基台の筐体搭載面の全端部を垂直下向きに折り曲げて形成し、該折曲辺部の側方端部に切欠部を形成すれば、該折曲辺部の側方端部どうしを溶接する作業が不要となり作業工程が削減できるうえ、溶接不良による錆の発生を防ぐこともできる。
【図面の簡単な説明】
【００１２】
【図１】実施形態の電気機器収納用箱の背面斜視図である。
【図２】実施形態の電気機器収納用箱の前面斜視図である。
【図３】基台の切欠部に取り付けられるカバー部材を取り外した状態を示す斜視図である。
【図４】切欠部を示す拡大斜視図である。
【図５】基台の分解斜視図である。
【図６】カバー部材の拡大斜視図である。
【図７】アンカー取付部材、キャスター、ストッパ、ストッパ固定用ナットを示す斜視図である。
【図８】カバー部材の変形例を示す拡大斜視図である。
【図９】変形例のカバー部材を別の角度より示した拡大斜視図である。
【図１０】カバー部材の他の変形例を示す拡大斜視図である。
【図１１】他の変形例のカバー部材を別の角度より示した拡大斜視図である。
【発明を実施するための形態】
【００１３】
以下に本発明の好ましい実施形態を示す。
本発明に係る電気機器収納用箱は、図１に示すように、表示装置を内蔵した筐体１と、筐体１を搭載する基台２と、からなる。
【００１４】
図１及び図２に示すように、筐体１は、略長方形に形成された前面扉１１と、前面扉１１と同形の背面扉１２と、前面扉１１と背面扉１２とを繋ぐ側面板１３から構成される。前面扉１１には、表示装置を視認可能にするための開口窓１１Ａが設けられており、背面扉１２の中央には筐体を冷却するための冷却装置１４が取り付けられている。また、筐体１の内部には、前面扉１１の開放操作可能なロッド棒を備えたハンドル（図示せず）が取り付けられている。なお、筐体１の内部には、液晶テレビ、ＰＤＰ（プラズマディスプレイパネル）などの表示装置や分電盤や配電盤などの電気機器が収納されており、その他に筐体内部の空気の循環を促すクロスフローファン、表示装置の内容を表示させるＰＣなどのハードが搭載されている。
【００１５】
基台２は、図３及び図４、図５に示すように、略長方形をなし、筐体が載置される筐体載置部２２Ａよりも張り出した金属製材料で形成されている。また、この実施形態では、図５のように、基台２の筐体搭載面２２の全端部を垂直下向きに折り曲げて折曲辺部２３を形成しており、折曲辺部２３は図４に示されるように、基台側面２３Ａ・基台下縁２３Ｂを含むものである。また、折曲辺部２３の側方端部を切欠いて切欠部２１としている。そのため、筐体搭載面２２の全端部を折り曲げた折曲辺部２３の側方端部どうしを溶接する作業が不要となり、作業工程が削減できる。更に溶接がなくなることにより溶接不良による錆の発生を防ぐこともできる。
【００１６】
また、基台２の隅部には、アンカー取付部材４に穿設されたアンカー取付部４１が露出するように切欠部２１を設けている。これにより、基台２の外側からアンカー取付部４１にボルトを打ち込むことができるため、従前のように基台の内側から作業を行う場合に比べて、格段に作業効率が向上する。この実施形態では切欠部２１を略正方形に切り欠いているが、筐体搭載面２２は切り欠かず、折曲辺部２３のみを切欠いて切欠部２１としても良い。筐体搭載面２２を切り欠いた場合では上部より工具を差し込んでボルト取付作業ができ、筐体搭載面２２を切り欠かない場合でも折曲辺部２３方向からレンチなどの工具を差し込みボルト取付作業を行うことが可能である。その場合、基台側面２３Ａの高さｈを十分に確保することが望ましい。なお、基台２の筐体搭載面２２中央には電気機器収納用箱の表示装置の配線などを通すための孔部２４を設けてある。
【００１７】
前記基台２の切欠部２１には、切欠部２１を覆うための取付自在なカバー部材３が取り付けられている。このカバー部材３は、図１及び図６に示すように、上方から見た場合略扇形状をなし、基台側面２３Ａと同等の高さｈに形成されている。当該カバー部材３の外縁には、ねじ孔部３１及び係止部３２が設けられており、ねじ孔部３１は、基台２の切欠部２１周縁に穿設されたねじ孔部２５と、係止部３２は基台２の切欠部２１周縁に穿設された係止孔２６と、それぞれ対応する。切欠部２１にカバー部材３を上部から嵌めると、切欠部２１周縁の係止孔２６にカバー部材３の係止部３２が係止し、その後、切欠部２１周縁のねじ孔部２５とカバー部材３のねじ孔部３１をねじ止めすれば、カバー部材３により切欠部２１やアンカーボルトが覆われ、また、カバー部材３は樹脂部材または弾力性のある部材で構成されているので、万が一基台２に接触した場合にも怪我をすることがなく、さらに基台２とカバー部材３が一体に見えて景観もよくなる。なお、筐体搭載面２２は切り欠かず、折曲辺部２３のみを切欠部２１とした場合においてはＬ字状のカバー部材を形成して切欠部２１を覆うものである。
【００１８】
また、図８、図９のようなカバー部材の構造としても良い。図８は要部を拡大した斜視図を示したものである。図８（ａ）はカバー部材７取付前の状態、図８（ｂ）はカバー部材７取付後の状態、図８（ｃ）はカバー部材７を切欠部２１に取り付けた状態の斜視図を示したものである。なお、図８（ａ）及び図８（ｂ）では筐体搭載面２２を省略している。図９は図８の別の角度から見た図であり、図９（ａ）は取付前の斜視図、図９（ｂ）は取付後の断面斜視図を示した図である。カバー部材７は筐体搭載面２２と水平に形成し筐体搭載面２２の切欠を覆う水平面７６と、折曲辺部２３の切欠を覆う垂下面７７からなり、上方から見た場合扇形状をなしている。水平面７６の内側には挟止部材７４が形成してあり、挟止部材７４は筐体搭載面２２の切欠端面を挟み込むことが可能に形成してある。挟止部材７４には案内部７４Ａが形成されており、筐体搭載面２２の端面を案内可能に形成している。また、垂下面７７の内側下方には折曲辺部２３の切欠端面を挟み込む挟止部材７３を形成している。挟止部材７３は帯状の形状でカバー部材７に一体に形成しており、カバー部材７の一方の折曲辺部２３と一方の折曲辺部２３の左右方向に位置する折曲辺部２３を挟み込むことが可能に形成している。挟止部材７３の両端部にはねじ孔部７１が形成されており、カバー部材７を取り付けた後、折曲辺部２３に形成したねじ孔部２５にねじ１００で係止することができる。挟止部材７３にも折曲辺部２３に向かうにつれて開口を幅広にした案内部７３Ａが形成されており、折曲辺部２３の端面を案内可能に形成している。カバー部材７は樹脂部材または弾力性のある部材で形成しているため、取り付けとしては図８に示すように垂下面７７の挟止部材７３で折曲辺部２３を挟んでから水平面７６の挟止部材７４で筐体搭載面２２の端面を挟み込む方法、水平面７６の挟止部材７４で筐体搭載面２２の端面を挟んでから垂下面７７の挟止部材７３で折曲辺部２３を挟み込む方法のどちらでも取付可能に形成しているものである。このようにカバー部材７で基台２の筐体搭載面２２及び折曲辺部２３の切欠端面を挟み込むことにより強固に保持することができる。図６の構造と同じようにカバー部材７にはねじ孔部７１、係止部７２が設けられ基台２にカバー部材７をねじ１００および係止部７２で取り付けるものである。ただし、折曲辺部２３のねじ孔部２５に対応する位置のカバー部材７は他の部分と比べて薄く形成した薄肉部７５で形成されており、ねじ止めする場合はカバー部材７の薄肉部７５を捲ってねじ１００を取り付けるものである。そのため、ねじ１００が表面上に表れず景観が良くなるものである。また、図示していないが、垂下部７７に形成した係止部７２の周縁は薄肉で形成している。周縁を薄肉で形成することにより、係止部７２の取り付けや取り外しを行いやすくなるものである。
【００１９】
その他にカバー部材構造としては図１０、図１１の構造としても良い。図１０は要部を拡大した斜視図を示したものである。図１０（ａ）、（ｂ）はカバー部材８を切欠部２１に取り付けた状態の斜視図及び断面斜視図を示したものである。なお、図１０（ａ）では筐体搭載面２２を省略している。図１１は図１０の別の角度から見た図であり、図１１はカバー部材８取付後の断面斜視図を示した図である。図８のカバー部材７は基台２の筐体搭載面２２と折曲辺部２３を共に挟込む形状としていたため強固に取付けできる反面取付が非常に困難であるため、図１０のカバー部材８の構造は筐体搭載面２２の端面を挟み込む挟止部材８４はそのままに、折曲辺部の固定は垂下面８７に形成した係止部８２のみで係止する構造としている。本実施形態においては係止部８２が２つ形成されているものであるが、係止部８２の数はこの構造に限定されるものではない。図１１に示すようにカバー部材８の水平面８６を捲ることにより、筐体搭載面２２に形成したねじ孔部２７が露出されるのでねじ１００で固定することが可能である。そのため、ねじ１００が表面上に表れず景観が良くなるものである。また、水平面８６のねじ孔部２７の周縁には引掛部材８８が形成されており、ねじ１００に引掛けるようにするものである。これは、何度も水平面を捲っていると撓みにより変形してしまうため、ねじ１００に引掛部材８８を引っ掛けておくことにより水平面の撓みを防止するものである。また、図１０と同じように図示していないが、垂下部８７に形成した係止部８２の周縁は薄肉で形成している。周縁を薄肉で形成することにより、係止部８２の取り付けや取り外しを行いやすくなるものである。
【００２０】
基台２の裏面の左右には、図４及び図５に示すように、基台２を床面に固定するための一対のアンカー取付部材４が取り付けられている。当該アンカー取付部材４は、レール状に形成され、かつ基台２の基台側面２３Ａ及び基台下縁２３Ｂに覆われるように取り付けられているので、基台２の基台下縁２３Ｂを補強する補強部材としての役割も兼ねている。また、アンカー取付部材４の両端部には、アンカーボルトを打ち込むためのアンカー取付部４１が穿設されている。このアンカー取付部４１は基台２の切欠部２１から露出する位置に設けられているため、基台２の外側からアンカーボルトを打ち込むことによって基台２を床面に固定することができる。
【００２１】
なお、アンカー取付部材４には、アンカーによる据え置き以外の様々な用途にも対応し得るよう、図７のように、電気機器収納用箱を移動自在にさせるためのキャスター５や所定の場所に保持可能にするストッパ６を取り付けるための各取付部５１、６１も形成してある。
【００２２】
以上に説明した本発明の電気機器収納用箱は、基台２の隅部に切欠部２１を設ける構成としたので、基台２の外側からアンカーボルトを打ち込むことができ、作業性に優れる。また、当該切欠部２１に着脱自在なカバー部材３を取り付けることにより、万が一基台２に接触してもアンカーボルトや切欠部２１によって怪我をすることを防止できる。さらに、基台２とカバー部材３が一体に見えることで景観もよくなるなど、多くの利点を備えたものである。
【符号の説明】
【００２３】
１  筐体
１１  前面扉
１１Ａ  開口窓
１２  背面扉
１３  側面板
１４  冷却装置
２  基台
２１  切欠部
２２  筐体搭載面
２２Ａ  筐体載置部
２３  折曲辺部
２３Ａ  基台側面
２３Ｂ  基台下縁
２４  孔部
２５  ねじ孔部
２６  係止孔
２７  ねじ孔部
３  カバー部材
３１  ねじ孔部
３２  係止部
４  アンカー取付部材
４１  アンカー取付部
５  キャスター
５１  キャスター取付部
６  ストッパ
６１  ストッパ取付部
７  カバー部材
７１  ねじ孔部
７２  係止部
７３  挟止部材
７３Ａ  案内部
７４  挟止部材
７４Ａ  案内部
７５  薄肉部
７６  水平面
７７  垂下面
８  カバー部材
８２  係止部
８４  挟止部材
８６  水平面
８７  垂下面
８８  引掛部材
１００  ねじ
【図１】
0005511650.tif 000002
【図２】
0005511650.tif 000003
【図３】
0005511650.tif 000004
【図４】
0005511650.tif 000005
【図５】
0005511650.tif 000006
【図６】
0005511650.tif 000007
【図７】
0005511650.tif 000008
【図８】
0005511650.tif 000009
【図９】
0005511650.tif 000010
【図１０】
0005511650.tif 000011
【図１１】
0005511650.tif 000012